(57)【要約】【課題】  ドアフレーム内のガラスランのずれを防止して、ドアフレームのコーナー部にしわ寄せされるのを防止する自動車用ガラスランを提供することを目的とするものである。【解決手段】自動車ドアのドアフレームの内周に取付けられ、ドアガラス１０の昇降を案内するとともに、押出成形により成形された直線部と、ドアフレーム２のコーナー部に取付けられる型成形により成形されたコーナー部１２を有する自動車用ガラスランにおいて、ガラスランのコーナー部１２の外面には、固定リップ７０を設け、固定リップ７０をドアフレーム２のコーナー部に取付部材により固定し、固定リップ７０は、硬質材料から形成され、その一端がガラスラン１０のコーナー部１２にインサート成形により埋設、固着されたことを特徴とする自動車用ガラスランである。【選択図】        図２
2005271659.tif 000002
【特許請求の範囲】
【請求項１】
自動車ドアのドアフレームの内周に取付けられ、ドアガラスの昇降を案内するとともに、押出成形により成形された直線部と、上記ドアフレームのコーナー部に取付けられる型成形により成形されたコーナー部を有する自動車用ガラスランにおいて、
上記ガラスランのコーナー部の外面には、固定リップを設け、該固定リップを上記ドアフレームのコーナー部に取付部材により固定し、
上記固定リップは、硬質材料から形成され、その一端がガラスランのコーナー部にインサート成形により埋設、固着されたことを特徴とする自動車用ガラスラン。
【請求項２】
上記ガラスランは、車外側側壁と、車内側側壁と、底壁とからなる断面略Ｕ字形をなし、上記車外側側壁と車内側側壁には、それぞれ上記断面略Ｕ字状の内側に向かって延出する車外側シールリップと車内側シールリップを設け、該車外側シールリップと車内側シールリップにより上記ドアガラスの両側端部の車外側面及び車内側面をシールする請求項１に記載の自動車用ガラスラン。
【請求項３】
上記固定リップは、金属又は硬質合成樹脂で形成され、一端はガラスランのコーナー部にインサート成形により埋設され、上記固定リップの他端は、上記取付部材を挿入する取付孔を設けた請求項１又は請求項２に記載の自動車用ガラスラン。
【請求項４】
上記固定リップの他端に上記取付部材としてクリップ又は突起を一体に形成した請求項１又は請求項２に記載の自動車用ガラスラン。
【請求項５】
上記ガラスランのコーナー部は、オレフィン系熱可塑性エラストマーで形成され、上記固定リップは、オレフィン系合成樹脂で形成される請求項１乃至請求項４のいずれかに記載の自動車用ガラスラン。
【請求項６】
上記固定リップは、上記ガラスランのフロント側とリヤ側の両方のコーナー部に設けられる請求項１乃至請求項５のいずれかに記載の自動車用ガラスラン。
【請求項７】
上記車外側側壁と、車内側側壁と、底壁の内面および車外側シールリップと車内側シールリップの外面に低摺動部材が設けられている請求項１乃至請求項６のいずれかに記載の自動車用ガラスラン。
【発明の詳細な説明】
【技術分野】
【０００１】
本発明は、自動車ドアのドアフレームの内周に取付け、ドアガラスの昇降を案内する自動車用ガラスランに関するものである。
【背景技術】
【０００２】
図５に示すように、自動車ドア１のドアフレーム２の内周にドアガラス５の昇降を案内するガラスラン１１０が取付けられている。その従来の取付構造を図６、図７に示す。図６は、ドアフレーム２のコーナー部の斜視図である。図７は、そのドアフレーム２のコーナー部に対応する部分のガラスラン１１０コーナー部の斜視図である。
【０００３】
従来、ガラスラン１１０は、図５に示すようにドアフレーム２のチャンネル３内に取付けられて、ドアガラス５の昇降を案内するとともにドアガラス５とドアフレーム２との間をシールしている。さらに、ガラスラン１１０は、図４に示すように押出成形により成形された直線状の直線部111からなるドア１の上辺部とフロント側縦辺部及びリヤ側縦辺部をドアフレーム２の形状に合わせて型形成するコーナー部１１２で接続している。
なお、ドア１と車体との間のシールは、ドアフレーム２の外周に取付けられたドアウエザストリップおよび／または車体の開口部のフランジに取付けられたオープニングトリムウエザストリップによりなされている。
【０００４】
ガラスラン１１０は、図7に示すように、車外側側壁１２０と、車内側側壁１３０と、底壁１４０からなる断面略Ｕ字状をなしている。車外側側壁１２０の先端付近から車外側シールリップ１５０が上記断面略Ｕ字状の内側に向けて延出するように設けられている。また、車内側側壁１３０にもその先端付近から車内側シールリップ１６０が断面略Ｕ字状の内側に向けて延出するように設けられている。
車外側側壁１２０、車内側側壁１３０と底壁１４０はドアフレーム２に設けられたチャンネル３内に挿入され、各壁の外面がチャンネル３の内面に当接され、ガラスラン１１０を保持している。
【０００５】
ドアガラス５は、このガラスラン１１０の断面略Ｕ字状の内側を摺動するとともに、上記車外側シールリップ１５０と車内側シールリップ１６０によってガラスラン１１０の端部の両側面がシールされて保持されている（例えば、特許文献１参照。）。
しかしながら、ドアフレーム２の上辺は、長手方向では、フロント側が低く、リヤ側が高い斜めの傾斜を有しており、ガラスラン１１０もドアフレーム２に沿って斜めの傾斜を有している。ドアガラス５が昇降をする場合に、ドアガラス５の上端がガラスラン１１０の上辺に当接すると、ドアガラス５がガラスラン１１０を傾斜に沿ってリヤ側に引っ張る力がはたらき、ガラスランチャンネル内をずれて、ガラスラン１１０がリヤ側にしわ寄せされる場合がある。
【０００６】
このため、ドアフレーム２の中に設けられたガラスランチャンネル３のコーナー部付近に、凹部３ｂ又は孔を設けて、ガラスラン１１０の底壁１４０のコーナー部付近の外面に設けた突起１１３をこの凹部３ｂ又は孔に挿入して、ガラスラン１１０のコーナー部をガラスランチャンネルに固定し、ガラスラン１１０のずれを止めて、しわ寄せを防止することが行われている（例えば、特許文献２及び３参照。）。
【特許文献１】特開２０００−２５４６２号公報（第２−３頁、第２図）
【特許文献２】特開２０００−１５８９５０号公報（第１図）
【特許文献３】特開２０００−１０３２４２号公報（第２図）
【発明の開示】
【発明が解決しようとする課題】
【０００７】
しかしながら、プレスドアを使用する場合等においては、車両の軽量化やコスト低減のためドアフレーム２のガラスランチャンネル３を廃止して、ガラスラン１１０を直接、ドアフレーム２のアウターパネルとインナーパネルの先端に取り付けることが行われている。この場合には、ガラスラン１１０の底壁１４０の外面に設けた突起１１３をガラスランチャンネル３の凹部３ｂに固定することができない。さらに、ガラスラン１１０の底壁１４０がガラスランチャンネル３に保持されていないため、ガラスラン１１０がより一層ずれやすくなる。
このため、本発明は、ドアフレーム内のガラスランのずれを防止して、ドアフレームのコーナー部にしわ寄せされるのを防止する自動車用ガラスランを提供することを目的とするものである。
【課題を解決するための手段】
【０００８】
上記課題を解決するために請求項１の本発明は、自動車ドアのドアフレームの内周に取付けられ、ドアガラスの昇降を案内するとともに、押出成形により成形された直線部と、ドアフレームのコーナー部に取付けられる型成形により成形されたコーナー部を有する自動車用ガラスランにおいて、ガラスランのコーナー部の外面には、固定リップを設け、固定リップをドアフレームのコーナー部に取付部材により固定し、固定リップは、硬質材料から形成され、その一端がガラスランのコーナー部にインサート成形により埋設、固着されたことを特徴とする自動車用ガラスランである。
【０００９】
請求項１の本発明では、ガラスランのコーナー部の外面には、固定リップを設け、固定リップをドアフレームのコーナー部に取付部材により固定したため、固定リップと取付部材により、ガラスランのコーナー部をドアフレームのコーナー部に固定して、ドアガラスが昇降し、ドアガラスの上端がガラスラン内に出入りしてガラスランを引っ張っても、ガラスランの全体がドアフレームに対してずれるのを防止することができる。
【００１０】
固定リップは、硬質材料から形成されているため、ガラスランの伸びやずれに対して強い抗力を発揮することができ、ガラスランの移動を防止することができる。硬質材料のため、固定リップ自体も伸びや変形することがなく、ドアフレームのコーナー部に確実に固定できる。
固定リップは、その一端をガラスランのコーナー部にインサート成形により埋設されたため、固定リップが強固にガラスランのコーナー部に固着される。さらに、固定リップがガラスランのコーナー部の材料により被覆されるため、固定リップの両面でガラスランのコーナー部と接着するため、強固に固着される。インサート成形のため、特に接着のための別の工程を必要とせず、製造が容易である。
【００１１】
請求項２の本発明は、ガラスランは、車外側側壁と、車内側側壁と、底壁とからなる断面略Ｕ字形をなし、車外側側壁と車内側側壁には、それぞれ断面略Ｕ字状の内側に向かって延出する車外側シールリップと車内側シールリップを設け、車外側シールリップと車内側シールリップによりドアガラスの両側端部の車外側面及び車内側面をシールする自動車用ガラスランである。
【００１２】
請求項２の本発明では、ガラスランは、車外側側壁と、車内側側壁と、底壁とからなる断面略Ｕ字形をなし、車外側側壁と車内側側壁には、それぞれ断面略Ｕ字状の内側に向かって延出する車外側シールリップと車内側シールリップを設けている。そのため、ドア閉時に、車外側側壁と、車内側側壁と、底壁とからなる断面略Ｕ字状の内側にガラスランの端部を収納することができ、ドアガラスを確実に保持することができる。
車外側シールリップと車内側シールリップによりドアガラスの両側端部の車外側面および車内側面をシールするようにしたため、ドアガラスの昇降に応じて、シールリップがドアガラスに当接し、車外側シールリップと車内側シールリップによりドアフレームとドアガラスとの間のシールをすることができる。
【００１３】
請求項３の本発明は、固定リップは、金属又は硬質合成樹脂で形成され、一端はガラスランのコーナー部にインサート成形により埋設され、固定リップの他端は、取付部材を挿入する取付孔を設けた自動車用ガラスランである。
【００１４】
請求項３の本発明では、固定リップは、金属又は硬質合成樹脂で形成されているため、強度が大きく、ガラスランのずれを確実に防止することができる。また、金属又は硬質合成樹脂のため板状に形成することができ、ガラスランのコーナー部に埋設することが容易である。
ガラスランのコーナー部にインサート成形により埋設された側と反対側の固定リップの他端には、取付部材を挿入する取付孔を設けたため、この固定リップの取付孔に取付部材の一端を挿入し、ドアフレームのコーナー部に対応する部分に設けた取付孔にその取付部材の他端を挿入することにより、ガラスランのコーナー部を容易にドアフレームのコーナー部に固定することができる。
【００１５】
請求項４の本発明は、固定リップの他端に取付部材としてクリップ又は突起を一体に形成した自動車用ガラスランである。
【００１６】
請求項４の本発明では、固定リップの他端に取付部材としてクリップ又は突起を一体に形成したため、固定リップの一端をガラスランのコーナー部に埋設して成形することにより、ドアフレームのコーナー部に取付ける取付部材を一体的に取付けることができ、単にドアフレームのコーナー部の取付孔にクリップ又は突起を挿入するのみでよく、ガラスランをドアフレームに取付けることが容易である。
また、固定リップの成形と同時に取付部材を一体的に形成することができ、製造が容易である。
【００１７】
請求項５の本発明は、ガラスランのコーナー部は、オレフィン系熱可塑性エラストマーで形成され、固定リップは、オレフィン系合成樹脂で形成される自動車用ガラスランである。
【００１８】
請求項５の本発明では、ガラスランのコーナー部は、オレフィン系熱可塑性エラストマーで形成され、固定リップは、オレフィン系合成樹脂で形成されるため、オレフィン系熱可塑性エラストマーとオレフィン系合成樹脂の接着性がよく、固定リップをインサート成形によりガラスランのコーナー部に埋設して成形するときに、固定リップを一体的に強固に固着することができる。
また、ガラスランは、オレフィン系熱可塑性エラストマー又はＥＰＤＭゴムで形成し、固定リップは、オレフィン系合成樹脂で形成するため、耐候性のよい、リサイクル容易な製品を得ることができる。
【００１９】
請求項６の本発明は、固定リップは、ガラスランのフロント側とリヤ側の両方のコーナー部に設けられる自動車用ガラスランである。
【００２０】
請求項６の本発明では、固定リップは、ガラスランのフロント側とリヤ側の両方のコーナー部に設けられるため、ガラスランの上辺の両端を固定することができ、ガラスランのずれをより一層確実に防止することができる。
【００２１】
請求項７の本発明は、車外側側壁と、車内側側壁と、底壁の内面および車外側シールリップと車内側シールリップの外面に低摺動部材が設けられている自動車用ガラスランである。
【００２２】
請求項７の本発明では、車外側側壁と、車内側側壁と、底壁の内面および車外側シールリップと車内側シールリップの外面に低摺動部材が設けられているため、ドアガラスがガラスラン内を摺動するときに、その摺動抵抗を減少させることができ、固定リップと併せて、ガラスランのずれを防止することができる。また、ドアガラスとガラスランとの摩擦による異音を防止できる。
ガラスラン内に、ドアガラスの上端が挿入されたときに、ドアガラスの横方向の移動によりガラスランのシールリップが側壁に押されても、車外側側壁と車外側シールリップ及び車内側側壁と車内側シールリップが貼着しないため、異音が発生せず、シール性も維持できる。
【発明の効果】
【００２３】
本発明は、ガラスランのコーナー部の外面には、ガラスランをドアフレームのコーナー部に固定する固定リップを設けたため、固定リップにより、ガラスランのコーナー部をガラスランのドアフレームのコーナー部に固定して、ガラスランの全体がドアフレームに対してずれるのを防止することができる。
【発明を実施するための最良の形態】
【００２４】
本発明の実施の形態を図１〜図５に基づき説明する。
図５は自動車ドア１の側面図であり、図４は、ドア１のドアフレーム２に取付けるガラスラン１０の正面図である。図５に示すように、自動車のドア１の上部にはドアフレーム２が設けられ、ドアガラス５が昇降自在に取付けられる。すなわち、ドアフレーム２の内周には、ガラスラン１０が取付けられ、ドアガラス５の昇降を案内するとともに、ドアガラス５とドアフレーム２との間をシールしている。
【００２５】
ガラスラン１０は、全体として押出成形で形成された略直線状の直線部１１と、ドアフレーム２のコーナー部に取付けられ、その直線部１１を接続し型成形で形成されるコーナー部１２からなる。
直線部１１は、ドアフレーム２の上辺に取付けられる部分と、ドアフレーム２のリヤ側縦辺に取付けられる部分と、ドアフレーム２のフロント側縦辺に取付けられる部分とからなる。
これらの押出成形部分をドアフレーム２に対応した形状となるように、コーナー部分において型成形により成形して接続してコーナー部１２を形成しており、ドアフレーム２のコーナー部２ｂに装着される部分となる。
【００２６】
ドアフレーム２の上辺に取付けられる直線部１１の断面形状は、図１に示すように、車外側側壁２０と、車内側側壁３０と、底壁４０とから断面略Ｕ字状に形成されている。図１は、図５のＡ−Ａ線に沿った部分の断面図である。図２は、ガラスラン１０のコーナー部１２の拡大正面図であり、図３は、ガラスラン１０のコーナー部１２の拡大平面図である。
【００２７】
ガラスラン１０はドアフレーム２の上辺部に取付けられる部分も縦辺部に取付けられる部分も基本的には、ほぼ同様な断面略Ｕ字形の断面形状を有している。
車外側側壁２０の先端付近から車外側シールリップ５０が上記断面略Ｕ字状の内側に向けて延設されている。また、車外側カバーリップ２４が車外側側壁２０の先端から車外方向に延設されている。車内側側壁３０の先端から車内側シールリップ６０が上記断面略Ｕ字状の内側に向けて延設されており、また、車内側カバーリップ３４が車内側側壁３０の先端から車内方向に延設されている。
【００２８】
車外側側壁２０と車外側カバーリップ２４とは略Ｕ字形に連続してその間には、車外側溝部２５が設けられる。この車外側溝部２５に、ドアフレーム２のアウターパネル２ｃの先端が挿入され、アウターパネル２ｃを車外側側壁２０と車外側カバーリップ２４とで挟持するようにしてガラスラン１０の車外側部分が保持される。
車外側カバーリップ２４は、アウターパネル２ｃの外面を覆って、その先端はアウターパネル２ｃに当接して、ガラスラン１０とアウターパネル２ｃの間をシールしている。
【００２９】
車外側側壁２０の底壁４０との連続部分に近い、根元付近に、車外側溝部２５の入口を塞ぐように車外側保持リップ２２が設けられている。この車外側保持リップ２２は、アウターパネル２ｃに当接して、アウターパネル２ｃの内面との間をシールしている。さらに、この車外側保持リップ２２が、ドアフレーム２のアウターパネル２ｃの先端のヘヤピン状に折れ曲がった板金の先端に係止して、ガラスラン１０がアウターパネル２ｃから外れることを防止することができる。
【００３０】
車外側側壁２０の断面略Ｕ字形の内面には、長手方向に連続する細かい凹凸状の突条部２１が設けられている。ドア閉時に、ドアガラス５の上端がガラスラン１０の内部に挿入すると、この突条部２１に、後述するように、車外側シールリップ５０の先端がドアガラス５により押し付けられて当接するが、車外側シールリップ５０の先端の裏面と車外側側壁２０の内面とが密着することがなく、異音が発生することがない。
また、車外側側壁２０の内面と車外側シールリップ５０の裏面にシリコン樹脂等の低摺動部材を塗布または貼付してもよい。この場合車外側シールリップ５０と車外側側壁２０との密着をより一層防止できる。
【００３１】
車外側側壁２０の先端付近から延設された車外側シールリップ５０は、先端が略く字形に曲がっている。車内側側壁３０の先端付近から延設された車内側シールリップ６０は、同様に先端が略く字形に曲がっている。ドアガラス５が上昇して、ドアガラス５の上端がガラスラン１０の内部に挿入されたときに、ドアガラス５の上端の車内側と車外側の両面に、この車外側シールリップ５０と車内側シールリップ６０が当接して、ドアガラス５とドアフレーム２の間をシールする。
【００３２】
この車外側シールリップ５０と車内側シールリップ６０のドアガラス５が当接する表面には、シリコン樹脂等の低摺動部材が塗布されている。このため、ドアガラス５がガラスラン１０内を摺動するときに、その摺動抵抗を減少させることができ、ガラスランのずれを防止することができる。
また、車外側シールリップ５０と車内側シールリップ６０の先端が略く字形に曲がっているため、ドアガラス５と接触する面積が小さく、ドアガラス５との摺動抵抗を減少させることができる。また、車外側シールリップ５０と車内側シールリップ６０のそれぞれの裏面が車外側側壁２０と車内側側壁３０のそれぞれの内面に密着する力を減少させることができる。
【００３３】
底壁４０は、断面略Ｕ字形の内面には、シールリップ５０、６０と同様にシリコン樹脂等の低摺動部材が塗布されている。このため、ドアガラス５との摺動抵抗を減少させることができる。
底壁４０の内面の両端には、溝部４１、４１が設けられ、ガラスラン１０の車外側側壁２０と車内側側壁３０が撓み易くしている。このため、底壁４０を若干厚くしてもよく、ドアフレーム２に、ガラスラン１０の底壁４０を保持するガラスランチャンネルを設けなくても、ドアガラス５が底壁４０に当接し、底壁４０を押圧しても、底壁４０が異常変形することがない。
【００３４】
車内側側壁３０と車内側シールリップ６０は、車外側側壁２０と車外側シールリップ５０よりも大きく、斜めに延びて圧肉に形成される。このため、ドアガラス５を車外側に位置させることができ、ドアガラス５とドアフレーム２の段差を少なくすることができる。このため、空気抵抗や風切音が減少し、デザイン的にも好ましい。
車内側側壁３０と車内側カバーリップ３４とは略Ｕ字形に連続して形成され、その間には、車内側溝部３５が設けられる。この車内側溝部３５に、ドアフレーム２のインナーパネル２ｄの先端が挿入され、車内側側壁３０と車内側カバーリップ３４とでインナーパネル２ｄの先端を挟持して、ガラスラン１０の車内側が保持される。
【００３５】
車内側側壁２０から車内側溝部３５に向けて、突起部３１と車内側保持リップ３２が延設されている。インナーパネル２ｄの先端が挿入されたときに、インナーパネル２ｄの先端は、若干く字形に曲がっているため、突起部３１に係止されて、ガラスラン１０の車内側がドアフレーム２から外れることを防止することができる。また、車内側保持リップ２２は、インナーパネル２ｄに当接して、インナーパネル２ｄを保持するとともにインナーパネル２ｄとガラスラン１０との間をシールしている。
さらに、車内側カバーリップ３４の先端は、インナーパネル２ｄに当接して、インナーパネル２ｄとガラスラン１０の間のシール性を向上させている。
【００３６】
次に、図２と図３に基づきガラスラン１０のコーナー部１２について説明する。
図２は、ガラスラン１０のフロント側のコーナー部１２の拡大正面図であり、ガラスラン１０のコーナー部１２に固定リップ７０の取り付けた状態を示すものである。図３は、同じくフロント側のガラスラン１０のコーナー部１２の拡大平面図である。
【００３７】
コーナー部１２は、上辺部を形成する直線部１１と縦辺部を形成する直線部１１を型成形で接続したものである。その断面形状は、上述の直線部の断面形状と略同じである。即ち、車外側側壁２０と、車内側側壁３０と、底壁４０とから断面略Ｕ字状に形成されているが、上辺部と縦辺部の断面形状の相違をコーナー部で連続的に変化させることにより、接続している。
さらに、上辺部と縦辺部の断面形状に合わせて、車外側側壁２０の先端付近から車外側シールリップ５０が上記断面略Ｕ字状の内側に向けて延設されている。また、車外側カバーリップ２４が車外側側壁２０の先端で車外方向に延設されている。車内側側壁３０の先端から車内側シールリップ６０が上記断面略Ｕ字状の内側に向けて延設されており、また、車内側カバーリップ３４が車内側側壁３０の先端で車内方向に延設されている。この、シールリップとカバーリップも上記と同様にコーナー部で上辺部と縦辺部の形状の相違を連続的に変化させて、接続している。
【００３８】
ガラスラン１０の上辺部に連続するコーナー部１２の車内側カバーリップ３４に固定リップ７０が埋設される。固定リップ７０は、上辺部の車内側カバーリップ３４の延長方向に沿って取付けられる。固定リップ７０は、板状の長方形を成し、一方の側は車内側カバーリップ３４に埋設される埋設部７１となり、他方の側はドアフレーム２に取付け、固定する固定部７２からなる。固定部７２には、クリップ等を挿入する孔である取付部７３が設けられている。この取付部７３は、後述するように、孔の替わりに取付部材であるクリップや円柱状の突起を一体に設けてもよい。
【００３９】
この固定リップ７０は、硬質合成樹脂あるいは金属板等を使用することができる。硬質合成樹脂で形成する場合は、ポリエチレンやポリプロピレン等のオレフィン系硬質合成樹脂あるいはナイロン等を使用することができる。ガラスラン１０のコーナー部１２をオレフィン系熱可塑性エラストマーで形成した場合は、固定リップ７０は、オレフィン系合成樹脂で形成することが好ましい。この場合は、オレフィン系熱可塑性エラストマーとオレフィン系合成樹脂の接着性がよく、固定リップ７０をインサート成形により一体的に固着することができる。
ガラスラン１０のコーナー部１２をＥＰＤＭゴムで形成した場合は、金属板又はナイロン樹脂製の固定リップ７０を使用することができる。コーナー部１２の加硫時に、熱で固定リップ７０が変化することがないため好ましい。
【００４０】
固定リップ７０を金属板で形成する場合は、埋設部７１に小さい複数の孔を明けてコーナー部１２と接合することが好ましい。即ち、埋設部７１の小さい複数の孔に型成形時にコーナー部１２を形成する材料が入り、埋設部７１の両面に存在する材料が両面から複数の孔を通して連続し、一体となり、金属板を固着して、強固に固定リップ７０を固着することができる。
【００４１】
ガラスラン１０をドアフレーム２に取付ける場合は、前述の通り、ドアフレーム２のアウターパネル２ｃとインナーパネル２ｄの先端を、ガラスラン１０の車外側溝部２５と車内側溝部３３に嵌め込む。
コーナー部１２においては、同様にドアフレーム２のコーナー部２ｂにガラスラン１０のコーナー部１２を嵌め込む。そのとき、ドアフレーム２のコーナー部２ｂのインナーパネル２ｄの対応する箇所に取付孔を設けて、ガラスラン１０のコーナー部１２の固定リップ７０に設けた取付部７３の孔と合わせて、クリップあるいは円柱状の取付部材を両方の孔に挿入することにより、固定リップ７０を固定する。
【００４２】
これによって、ガラスラン１０の移動を防止することができる。なお、固定リップ７０にクリップあるいは円柱状の突起を一体に設ける場合は、そのクリップあるいは円柱状の突起をインナーパネル２ｄに取付孔に挿入すればよい。このため、固定リップ７０をガラスラン１０のコーナー部１２に埋設して成形することにより、ドアフレーム２のコーナー部２ｂに取付ける取付部材を固定リップ７０に一体的に形成することができる。このため、ガラスラン１０の取付時に、単にドアフレーム２のコーナー部２ｂの取付孔にクリップ又は突起を挿入するのみでよく、ガラスラン１０をドアフレーム２に取付けることが容易である。
【００４３】
また、固定リップ７０の成形と同時に取付部材を一体的に形成することができ、製造が容易である。
この固定リップ７０により、ドアガラス５が上昇してガラスラン１０の内部に入ってガラスラン１０が引っ張られても、ドアガラス５によりガラスラン１０がずれることがなく、ガラスラン１０を固定することができる。
【００４４】
ガラスラン１０の成形においては、成形材料は、合成ゴム、熱可塑性エラストマー、軟質合成樹脂が使用され、例えば合成ゴムでは、ＥＰＤＭゴム、熱可塑性エラストマーでは、ポリオレフィン系エラストマー、軟質合成樹脂では、軟質塩化ビニル等が使用される。
合成ゴムの場合は、押出成形後に加硫槽に搬送されて、熱風や高周波等により加熱されて加硫が行われる。熱可塑性エラストマー、軟質合成樹脂の場合は、冷却され固化される。その後所定の長さに切断されて、押出成形部分は製造される。  
【００４５】
次に、型成形部分の成形は、上記により製造された押出成形部材を所定寸法に切断して、その切断した押出部分の端部を、型成形部分を成形する金型に挟持して、その金型のキャビティーに型成形部分を形成するソリッド材を注入する。型成形部分の断面形状は押出成形部分の断面形状と略同じである。成形材料は、押出成形部分に使用した材料と同じ種類のものを使用することが好ましい。熱可塑性エラストマー、軟質合成樹脂の場合は、金型に注入されたときに注入材料は溶融されているため、その熱と圧力とで押出成形部分と型成形部分は一体的に融着される。
合成ゴムの場合は、金型に注入した後に金型を加熱して加硫する。このとき、押出成形部分と型成形部分は同じ材料あるいは同種類の材料を使用して加硫接着をすることができるため、一体的に固着する。なお、押出成形部分を合成ゴムで形成した場合は、型成形部分を熱可塑性エラストマーで形成することもできる。
【図面の簡単な説明】
【００４６】
【図１】本発明の実施の形態であるガラスランのドアフレーム上部に取付けられる部分のガラスランの、図５のＡ−Ａ線に沿った断面形状である。
【図２】本発明の実施の形態であるガラスランのコーナー部の一部拡大正面図である。
【図３】本発明の実施の形態であるガラスランのコーナー部の一部拡大平面図である。
【図４】本発明の実施の形態であるガラスランの正面図である。
【図５】自動車ドアの側面図である。
【図６】従来のドアフレームのコーナー部の一部切欠斜視図である。
【図７】従来のガラスランのコーナー部の一部切欠斜視図である。
【符号の説明】
【００４７】
２  ドアフレーム
２ｂ  コーナー部
５  ドアガラス
１０  ガラスラン
１１  直線部
１２  コーナー部
２０  車外側側壁
３０  車内側側壁
４０  底壁
５０  車外側シールリップ
６０  車内側シールリップ
７０  固定リップ
７１  埋設部
７２  固定部
【図１】
2005271659.tif 000003
【図２】
2005271659.tif 000004
【図３】
2005271659.tif 000005
【図４】
2005271659.tif 000006
【図５】
2005271659.tif 000007
【図６】
2005271659.tif 000008
【図７】
2005271659.tif 000009